(57)【要約】【課題】  設定国及び周辺国の放送信号の周波数帯域幅に基づく安定したサーチ処理を行なうことができる放送受信装置及び放送受信方法を提供する。【解決手段】  デジタル放送受信のための設定が行なわれる設定国と、設定国の周辺国と、周辺国に応じた周波数の帯域幅をもつテーブル情報（図４）を格納する記憶部３５と、デジタル放送信号を受信し復調して復調信号を出力するチューナ部１２と、チューナ部が受信可能な設定国及び周辺国のデジタル放送信号を、テーブル情報の設定国及び周辺国の周波数の帯域幅に基づいて順次サーチして、各チャンネルに受信可能なデジタル放送信号の周波数と国情報が対応づけられたチャンネルリスト（図５）を生成するサーチ部３０と、チャンネルの指示信号を受けると、チャンネルリストのデジタル放送信号の周波数に基づく選局をチューナ部により行なう制御部３０をもつ放送受信装置。【選択図】図１
2008245169.tif 000002
【特許請求の範囲】
【請求項１】
デジタル放送受信のための設定が行なわれる設定国と、前記設定国の周辺国と、前記周辺国に応じた周波数の帯域幅をもつテーブル情報を格納するメモリ部と、
デジタル放送信号を受信し復調して復調信号を出力するチューナ部と、
前記チューナ部が受信可能な前記設定国及び前記周辺国のデジタル放送信号を、前記テーブル情報の前記設定国及び周辺国の周波数の帯域幅に基づいて順次サーチして、各チャンネルに受信可能なデジタル放送信号の周波数と国情報が対応づけられたチャンネルリストを生成するサーチ部と、
チャンネルの指示信号を受けると、前記チャンネルリストのデジタル放送信号の周波数に基づく選局を前記チューナ部により行なう制御部と、
を具備することを特徴とする放送受信装置。
【請求項２】
前記チャンネルリストの受信可能なデジタル放送信号の国情報は、前記設定国又は前記設定国の周辺国の中の少なくとも一つが含まれることを特徴とする請求項１記載の放送受信装置。
【請求項３】
前記チューナ部の前記復調信号から抽出した情報に前記チャンネルリストの国情報に応じる処理を行なって生成した画像信号を生成し、前記復調信号に基づく映像信号に重畳する重畳部を更に有することを特徴とする請求項１記載の放送受信装置。
【請求項４】
前記チューナ部の前記復調信号から抽出した情報に前記チャンネルリストの国情報に応じる言語により生成した画像信号を生成し、前記復調信号に基づく映像信号に重畳する重畳部を更に有することを特徴とする請求項１記載の放送受信装置。
【請求項５】
前記チューナ部の前記復調信号に基づいて映像を画面に表示する表示部を更に有することを特徴とする請求項１記載の放送受信装置。
【請求項６】
デジタル放送受信のための設定が行なわれる設定国と、前記設定国の周辺国と、前記周辺国に応じた周波数の帯域幅をもつテーブル情報を用意し、
チューナ部が受信可能な前記設定国及び前記周辺国のデジタル放送信号を、前記テーブル情報の前記設定国及び周辺国の周波数の帯域幅に基づいて順次サーチし、
この結果、各チャンネルに受信可能なデジタル放送信号の周波数と国情報が対応づけられたチャンネルリストを生成し、
チャンネルの指示を受けると、前記チャンネルリストのデジタル放送信号の周波数に基づく選局を前記チューナ部により行なうことを特徴とする放送受信方法。
【請求項７】
前記チャンネルリストの受信可能なデジタル放送信号の国情報は、前記設定国又は前記設定国の周辺国の中の少なくとも一つが含まれることを特徴とする請求項６記載の放送受信方法。
【請求項８】
前記チューナ部により放送信号を復調して復調信号を取得し、
この復調信号から抽出した情報に前記チャンネルリストの国情報に応じる処理を行なって生成した画像信号を生成し、
この画像信号を前記復調信号に基づく映像信号に重畳することを特徴とする請求項６記載の放送受信方法。
【請求項９】
前記チューナ部により放送信号を復調して復調信号を取得し、
この復調信号から抽出した情報に前記チャンネルリストの国情報に応じる言語により生成した画像信号を生成し、
この画像信号を前記復調信号に基づく映像信号に重畳することを特徴とする請求項６記載の放送受信方法。
【発明の詳細な説明】
【技術分野】
【０００１】
この発明は、チューナ部のチャンネルサーチを行なう放送受信装置に関し、特に複数国の放送信号に関するチャンネルサーチを行なう放送受信装置及び放送受信方法に関する。
【背景技術】
【０００２】
最近、デジタル技術の普及に伴い、地上波デジタル放送の利用が非常に進んできており、地上波デジタル放送を受信する放送受信装置が普及しつつある。このような放送受信装置においては、放送受信装置を設置する際に、どのような放送が受信できるかをサーチ処理を行なってチャンネル登録を行なうことが知られている。特に、複数の国からの放送信号に対してもサーチ処理を行なうことができる。
【０００３】
特許文献１は、仕向け地を“日本”，“欧州”，“北米”等と異ならせて受信可能なチャンネルの自動チューニングを行なうテレジョン装置を提供している。これにより、複数の仕向け地に対する受信可能なチャンネルの自動チューニングが可能となる。
【特許文献１】特開平６−４６４２７号公報
【発明の開示】
【発明が解決しようとする課題】
【０００４】
しかし、この特許文献１の従来技術では、例えば、欧州を仕向け地として自動チューニングを行なった場合、例えばスイスで自動サーチを行なうと、スイスだけでなくその周辺国のフランス、ドイツ、イタリア、オーストリアについても受信可能となってしまう。
【０００５】
この時、設定国の受信放送として設定国以外の国の放送信号も解釈してしまうので、他国の放送信号を正しく画面に表示できないという問題がある。
【０００６】
本発明は、上記事情を考慮してなされたもので、設定国及び周辺国の放送信号の周波数帯域幅に基づく安定したサーチ処理を行なうことができる放送受信装置及び放送受信方法を提供することを目的とする。
【課題を解決するための手段】
【０００７】
課題を解決するための一実施形態は、
デジタル放送受信のための設定が行なわれる設定国と、前記設定国の周辺国と、前記周辺国に応じた周波数の帯域幅をもつテーブル情報（図４）を格納するメモリ部（３５）と、
デジタル放送信号を受信し復調して復調信号を出力するチューナ部（１２）と、
前記チューナ部が受信可能な前記設定国及び前記周辺国のデジタル放送信号を、前記テーブル情報の前記設定国及び周辺国の周波数の帯域幅に基づいて順次サーチして、各チャンネルに受信可能なデジタル放送信号の周波数と国情報が対応づけられたチャンネルリスト（図５）を生成するサーチ部（３０）と、
チャンネルの指示信号を受けると、前記チャンネルリストのデジタル放送信号の周波数に基づく選局を前記チューナ部により行なう制御部（３０）と、
を具備することを特徴とする放送受信装置である。
【発明の効果】
【０００８】
複数の設定国とこの周辺国の放送信号の周波数帯域幅のテーブル情報を用意しておき、各国の帯域幅を用いて受信可能な放送局のサーチ処理を確実に行なうことができる。
【発明を実施するための最良の形態】
【０００９】
以下、この発明の実施の形態について図面を参照して詳細に説明する。
【００１０】
＜本発明の一実施形態である放送受信装置＞
（放送受信装置の構成と動作）
本発明の一実施形態であるデジタルテレビジョン装置等の放送受信装置の構成の一例を、以下に図面を用いて詳細に説明する。図１は、本発明の一実施形態に係る放送受信装置の構成の一例を示すブロック図である。
【００１１】
放送受信装置１０は、図１に示すように一例としてテレビジョン装置であり、制御部３０は全体の動作を司るべくデータバスを介して各部に接続されている。放送受信装置１０は、再生側を構成するＭＰＥＧデコーダ部１６と、装置本体の動作を制御する制御部３０とを主たる構成要素としている。放送受信装置１０は、入力側のセレクタ部１４と出力側のセレクタ部２１とを有しており、入力側のセレクタ部１４には、ＬＡＮ等やメール機能をもった通信部１１と、ＢＳ／ＣＳ／地上波デジタルチューナ部１２と、ＢＳ／地上波アナログチューナ部１３が接続される。
【００１２】
放送受信装置１０は、更に、ＢＳ／ＣＳ／地上波デジタルチューナ部１２からの復調信号を一時格納するバッファ部１５と、格納された復調信号であるパケットを種類別に分離する分離部１７と、分離部１７から供給された映像音声用のパケットにＭＰＥＧデコード処理を施し映像音声信号を出力するＭＰＥＧデコーダ部１６と、操作情報等を重畳するための映像信号を生成するＯＳＤ（On Screen Display）生成部１８と、ＯＳＤ生成部１８で生成した操作情報や字幕情報等を重畳する重畳部１８−２を有している。放送受信装置１０は、更に、分離部１７からの音声信号に増幅処理等を施す音声処理部１９と、ＭＰＥＧデコーダ部１６及びＯＳＤ生成部１８から映像信号を受けて、所望の映像処理を施す映像処理部２０と、音声信号及び映像信号の出力先を選択するセレクタ部２１と、音声処理部１９からの音声信号に応じて音声を出力するスピーカ部２２と、セレクタ部２１に接続されて与えられた映像信号に応じた映像を液晶表示画面等に表示する表示部２３と、外部装置との通信を行うインタフェース部２４を有する。
【００１３】
ここで、映像処理部２０は、インターレス信号をプログレッシブに変換するＩＰ変換部４１と、コアリング処理及びエンハンス処理を行なう画質処理部４２と、スケーリング処理を行なうスケーリング部４３と、映像信号のγ補正を行なうγ補正部４４を有している。
【００１４】
放送受信装置１０は、更に、ＢＳ／ＣＳ／地上波デジタルチューナ部１２及びＢＳ／地上波アナログチューナ部１３からの映像情報等を適宜記録する記憶部３５と、放送信号等から電子番組情報を取得して画面表示等を行なう電子番組情報処理部３６と、例えばデジタル放送信号を受信し復調した信号に含まれるＴＯＴ（Time Offset Table），ＴＤＴ（Time Date Table）から現在の日時情報を抽出する日時情報検出部３７を有しており、これらは、データバスを介して制御部３０に接続されている。放送受信装置１０は、更に、データバスを介して制御部３０に接続されユーザの操作やリモコンＲの操作を受ける操作部３２及び操作信号を表示する表示部３３を有している。ここで、リモコンＲは、放送受信装置１０の本体に設けられる操作部３２とほぼ同等の操作を可能とするものであり、チューナの操作等、各種設定が可能である。
【００１５】
また、制御部３０は、特に、後述する本発明の一実施形態であるチューナ部の設定国及び周辺国の放送信号のサーチ機能を有している。また、これに伴い、記憶部３５も、フラッシュＲＯＭ等を用いて、後述する図４に示す帯域幅テーブル、図５に示すチャンネルリスト、また、複数の国毎のＯＳＤ規格情報（例えば国に応じた言語情報）等を更に格納している。
【００１６】
このような構成をもった放送受信装置１０は、放送信号が受信アンテナからＢＳ／ＣＳ／地上波デジタルチューナ部１２等に入力され、ここで選局が行われる。選局され復調されたパケット形式の復調信号は、分離部１７により、種類別のパケットに分離され、音声映像用パケットがＭＰＥＧデコーダ部１６等でデコード処理されて映像音声信号となって、音声処理部１９及び映像処理部２０に供給される。映像処理部２０は、与えられた映像信号について、ＩＰ変換部４１によりインターレス信号をプログレッシブに変換され、画質処理部４２ではコアリング処理及びエンハンス処理が施され、スケーリング部４３ではスケーリング処理が施され、γ補正部４４では、映像信号のγ補正が施された後に、セレクタ部２１に供給される。
【００１７】
セレクタ部２１は、制御部３０の制御信号に応じて例えば表示部２３に映像信号を供給し、これにより映像信号に応じた映像が表示部２３に表示される。また、音声処理部１９からの音声信号に応じた音声がスピーカ部２２から出力される。
【００１８】
また、ＯＳＤ生成部１８で生成された各種の操作情報や字幕情報等が、重畳部１８−２により放送信号に応じた映像信号に重畳され、映像処理部２０を経て、これに応じた映像が表示部２３に表示される。
【００１９】
＜本発明の一実施形態であるチャンネルサーチ処理＞
次に、本発明の一実施形態であるチャンネルサーチ処理を図面を用いて以下に詳細に説明する。図２は、本発明の一実施形態に係る放送受信装置のチャンネルサーチ処理の一例を示すフローチャートである。図３は、本発明の一実施形態に係る放送受信装置のチャンネルサーチ処理の詳細な一例を示すフローチャートである。
【００２０】
図４は、本発明の一実施形態に係る放送受信装置のチャンネルサーチ処理に用いられる設定国の一例を示す説明図である。図５は、放送受信装置のチャンネルサーチ処理により生成されるチャンネルリストの一例を示す説明図である。図６は、放送受信装置のチャンネルサーチ処理の設定画面の一例を示す説明図である。
【００２１】
なお、以下の図２、図３、図７のフローチャートの各ステップは、回路ブロックに置き換えることができ、従って、各フローチャートのステップは、全てブロックに定義しなおすことが可能である。
【００２２】
（チャンネルリストの生成）
初めに、図４に示す帯域幅テーブルを用いたチャンネルサーチ処理によるチャンネルリストの生成処理を図２及び図３のフローチャートを用いて詳細に説明する。
【００２３】
例えば、本発明に係る放送受信装置においては、国毎に細部規格の異なるデジタル放送波が受信可能なヨーロッパ等の大陸地域において、ユーザが放送受信の設定を行なう設定国を指定して受信サーチを実施した際に、設定国とその周辺国の放送信号の周波数の帯域幅テーブル（図４）に基づき、各国の放送規格に従って受信可能な放送を順次サーチするものである。
【００２４】
すなわち、例えば、設定国がスイス（帯域幅７ＭＨｚ）であるとき、隣接国の帯域幅は、必ずしも７ＭＨｚではない。図４に示すように、スイスの隣接国のフランス、ドイツ、イタリア、オーストリアは、それぞれ、帯域幅が、８ＭＨｚ、７ＭＨｚ、８ＭＨｚ、７ＭＨｚとなる。従って、記憶部３５等に設定国とその周辺国の放送信号の周波数の帯域幅テーブル（図４）等を記録していなければ、基準周波数（一例として１７５ＭＨｚ）から全くスキップ処理することなく連続的に放送信号をサーチすることとなり、非常に非効率的な処理となる。
【００２５】
一方、この実施形態の図１に示す放送受信装置１０の記憶部３５のように設定国とその周辺国の放送信号の周波数の帯域幅テーブル（図４）等を記録していれば、スイスの周辺国のフランス、ドイツ、イタリア、オーストリアは、帯域幅が７ＭＨか８ＭＨｚなので、基準周波数（一例として１７５ＭＨｚ）から７ＭＨｚの整数倍の周波数及び８ＭＨｚの整数倍の周波数につき上限の周波数（一例として８６０ＭＨｚ）までを順番にサーチするだけで済むので効率的で確実なサーチ処理を実現することができる。
【００２６】
すなわち、放送受信装置１０は、制御部３０の働きにより、図６に示す設定画面において、チャンネルサーチ処理の設定を行なう（ステップＳ１１）。つまり、ユーザは、この図６の設定画面１００において、国１０１と、言語１０２（言語は国１０１に応じて選択肢が決定される）と、周辺国サーチを行なうか（ｙｅｓ）設定国サーチのみであるか（ｎｏ）の選択を決定する。そして、サーチをスタートする際はアイコン１０４を操作する。また、サーチを終了するときはアイコン１０５を操作する。
【００２７】
制御部３０は、アイコン１０４の操作を検出すると（ステップＳ１２）、次に、設定画面１００において周辺国のサーチが選択されているかどうかを判断する（ステップＳ１３）。制御部３０が、設定画面１００において周辺国のサーチが選択されていると判断すると、次に、記憶部３５から帯域幅テーブル（図４）を読み出し（ステップＳ１４）、この帯域幅テーブルの各国の情報に基づいてチャンネルサーチ処理を行なう（ステップＳ１５）。
【００２８】
しかし、制御部３０が、設定画面１００において設定国のサーチが選択されていると判断すると、制御部３０は、記憶部３５から帯域幅テーブル（図４）の設定国の帯域幅だけを用いて、設定国だけをチャンネルサーチの対象国としてチャンネルサーチを行なう（ステップＳ１６）。
【００２９】
具体的な処理としては、制御部３０は、図３に示すフローチャートに示すように、チャンネルサーチの帯域幅を、図４の周辺国テーブルの各国が示す帯域幅とする（ステップＳ２１）。すなわち、設定国がスイスであれば、周辺国がフランス、ドイツ、イタリア、オーストリアと決定する。そして、制御部３０は、ＢＳ／ＣＳ／地上波デジタルチューナ部１２について、チャンネルサーチの周波数を基準周波数（一例として１７５ＭＨｚ）とする（ステップＳ２２）。
【００３０】
ここで、制御部３０は、ＢＳ／ＣＳ／地上波デジタルチューナ部１２が、受信チャンネルを検出すれば、分離部１７が検出したＰＳＩ（Program Specific Information）等から国情報を取得する（ステップＳ２４）。そして、図５に示すようなチャンネルリストにチャンネル番号を保存する（ステップＳ２５）。図５では、例えば、“１”と保存する。次に、ＰＳＩ等から取得した国情報を、このチャンネルリストにチャンネル番号に対応する国情報として、例えばフランスと設定する（ステップＳ２６）。
【００３１】
次に、制御部３０は、図５に示すチャンネルリストにチャンネル番号“１”に対応する周波数情報を例えば１７５ＭＨｚ（１７５ＭＨｚ＋８ＭＨｚ×０）として設定する（ステップＳ２７）。次に、制御部３０は、チャンネルサーチ周波数（例えば１７５ＭＨｚ）にチャンネルサーチの帯域幅（例えば７ＭＨｚ）を加算する（ステップＳ２８）。そして、チャンネルサーチが終了するまで、例えば欧州の地上波デジタル放送の割当周波数の上限の一例である８６０ＭＨｚまで、この処理を継続する（ステップＳ２９）。
【００３２】
また、ステップＳ２３で受信チャンネルが検出できなかった場合は、直ちにステップＳ２８に飛んで、例えば欧州の地上波デジタル放送の割当周波数の上限である８６０ＭＨｚまでこの処理を継続する（ステップＳ２８）。
【００３３】
このような処理を基準周波数（例えば７ＭＨｚ）から割当周波数の上限である８６０ＭＨｚまで継続することで、図５に示すようなチャンネルリストが生成され、設定国が例えばスイスでも、チャンネル番号に対応して設定国とは必ずしも同じではない国情報が、受信可能な放送の周波数と共に記録されるものである。
【００３４】
なお、上述したように、各国毎に固有の帯域幅情報を保有しているため、設定国がスイスであれば、その周辺国のフランス、ドイツ、イタリア、オーストリアの帯域幅を考慮して、７ＭＨｚと８ＭＨｚについてサーチ処理を行なうため、安定して効率的なサーチ処理が可能となる。すなわち、図５のチャンネルリストの一例において、２チャンネルのドイツでは、１７５ＭＨｚ＋７ＭＨｚ×２＝１８９ＭＨｚにて、３チャンネルのイタリアでは、１７５ＭＨｚ＋８ＭＨｚ×４＝２０７ＭＨｚにて、４チャンネルのオーストリアでは、１７５ＭＨｚ＋７ＭＨｚ×１０＝２４５ＭＨｚにて、５チャンネルのスイスでは、１７５ＭＨｚ＋７ＭＨｚ×１５＝２８０ＭＨｚにて、周波数が保存される。同様に、各チャンネルに応じた放送局名が、図５のチャンネルリストに示すようにそれぞれ保存される。
【００３５】
（チャンネルリストの活用）
次に、上述したように求められたチャンネルリスト情報は、一例として、以下に示すようにデジタル放送信号の受信処理に活用される。図７は、本発明の一実施形態に係る放送受信装置により生成されたチャンネルリストを用いて行なわれるオンスクリーン表示処理の一例を示すフローチャートである。
【００３６】
本発明の一実施形態である放送受信装置１０において、図７のフローチャートに従って、チャンネルリストを用いて行なわれるオンスクリーン表示処理の一例を説明する。
【００３７】
すなわち、放送受信装置１０において、制御部３０は、リモコンＲ等のチャンネル操作を検出したり電源の投入を検出すると（ステップＳ３１）、与えられたチャンネル信号または記憶部３５等に記録されているチャンネル信号に応じた周波数を、記憶部３５が記憶しているチャンネルリスト（図５）から読み出して、ＢＳ／ＣＳ／地上波デジタルチューナ部１２に設定する（ステップＳ３２）。すなわち、“１ｃｈ”が選択されれば、チャンネルリスト（図５）に示すように、１８３ＭＨｚがＢＳ／ＣＳ／地上波デジタルチューナ部１２に設定される。
【００３８】
次に、制御部３０が分離部１７から出力されるＰＳＩ（Program Specific Information）のＰＡＴ（Program Association Table）に該当するチャンネルが存在すると判断すれば（ステップＳ３３）、分離部１７から出力されるＰＳＩ，ＳＩ（Service Information）に応じて、操作情報、管理情報、字幕情報等を、チャンネルリスト（図５）が示すチャンネル番号に応じた国情報に対応するＯＳＤ規格情報により解釈して、重畳すべき画像情報を生成する（ステップＳ３４）。
【００３９】
具体的には、チャンネルが２チャンネルの場合、チャンネルリストがドイツを示していれば、制御部３０は、記憶部３５からドイツ用のＯＳＤ規格情報を読み出してきて、このＯＳＤ規格情報に基づき、ＰＳＩ，ＳＩ（Service Information）の操作情報、管理情報、字幕情報等を解釈する。これにより、ドイツの放送の字幕情報等は、ドイツ語の字幕画像として重畳画像が生成される。また、同様に、３チャンネルであれば、イタリアの放送の字幕情報等は、イタリア語の字幕画像として重畳画像が生成される。
【００４０】
この重畳画像は、重畳部１８−２において、分離部１７から供給される映像信号に重畳され映像処理部２０を経て、番組映像に重畳される字幕等として表示部２３に表示されるものである（ステップＳ３５）。
【００４１】
このように、本発明に係る実施形態の放送受信装置１０によれば、チャンネルリスト（図５）により各チャンネル毎に国情報が管理されているため、例えば、ヨーロッパのように設定国（スイス等）で受信可能な周辺国（フランス、ドイツ、イタリア、オーストリア等）の放送の字幕情報等をその国の管理情報に従って確実に画面表示することが可能となるものである。
【００４２】
また、上述したように、本発明に係る実施形態の放送受信装置１０によれば、設定国とその周辺国の放送信号の帯域幅テーブルを記憶部等に予め用意して利用することで、例えば、ヨーロッパのように設定国（スイス等）で受信可能な周辺国（フランス、ドイツ、イタリア、オーストリア等）のサーチ処理を確実に行なうことができる。
【００４３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４４】
【図１】本発明の一実施形態に係る放送受信装置の構成の一例を示すブロック図。
【図２】本発明の一実施形態に係る放送受信装置のチャンネルサーチ処理の一例を示すフローチャート。
【図３】本発明の一実施形態に係る放送受信装置のチャンネルサーチ処理の詳細な一例を示すフローチャート。
【図４】本発明の一実施形態に係る放送受信装置のチャンネルサーチ処理に用いられる設定国の一例を示す説明図。
【図５】本発明の一実施形態に係る放送受信装置のチャンネルサーチ処理により生成されるチャンネルリストの一例を示す説明図。
【図６】本発明の一実施形態に係る放送受信装置のチャンネルサーチ処理の設定画面の一例を示す説明図。
【図７】本発明の一実施形態に係る放送受信装置により生成されたチャンネルリストを用いて行なわれるオンスクリーン表示処理の一例を示すフローチャート。
【符号の説明】
【００４５】
１０…放送受信装置、１１…通信部、１２…ＢＳ／ＣＳ／地上波デジタルチューナ、１３…ＢＳ／ＣＳ／地上波アナログチューナ、１４…セレクタ部、１５…バッファ部、１６…ＭＰＥＧデコーダ部、１７…分離部、１８…ＯＳＤ生成部、１８−２…重畳部、１９…音声処理部、２０…映像処理部、２１…セレクタ部、２２…スピーカ部、２３…表示部、２４…Ｉ／Ｆ部、３０…制御部、３２…操作部、３３…表示部、３５…記憶部、３６…電子番組情報処理部、３７…日時情報検出部。
【図１】
2008245169.tif 000003
【図２】
2008245169.tif 000004
【図３】
2008245169.tif 000005
【図４】
2008245169.tif 000006
【図５】
2008245169.tif 000007
【図６】
2008245169.tif 000008
【図７】
2008245169.tif 000009